(57)【要約】【課題】外出警戒モード設定操作して外出してから、屋内に戻る必要がある場合において、外出警戒モードを解除する操作を不要とすると共に、監視センターへの無駄な通報を回避できる警備装置を提供する。【解決手段】警備対象物件内に設置されると共に、１または複数個のセンサ２１〜２ｎが接続され、外出警戒モード設定操作があったときに、当該操作時点から所定の遅延時間を経過した時点から、警戒状態が開始となり、警戒状態のときにセンサによる異常検出があると電話回線を通じて監視センターに緊急通報を行なう送信機１０と、警備対象物件内に設置されると共に、送信機と有線または無線と接続され、所定の操作が可能な操作手段３０とを備える。外出警戒モード設定操作入力があったときから遅延時間が終了する前に、操作手段３０で、所定の操作がなされたとき、送信機１０では、遅延時間を延長する。【選択図】図１
2009294833.tif 000002
【特許請求の範囲】
【請求項１】
警備対象物件内に設置されると共に、１または複数個のセンサが接続され、外出警戒モード設定操作があったときに、当該操作時点から所定の遅延時間が経過すると、警戒状態が開始となり、前記警戒状態のときに前記センサによる異常検出があると電話回線を通じて監視センターへ緊急通報を行なう送信機と、
警備対象物件内に設置されると共に、前記送信機と有線または無線で接続され、所定の操作が可能な操作手段と、
を備え、
前記操作手段で、前記外出警戒モード設定操作入力があったときから前記遅延時間が終了する前に、前記所定の操作がなされたとき、前記送信機では、前記遅延時間を延長する
ことを特徴とする警備装置。
【請求項２】
請求項１に記載の警備装置において、
前記操作手段の前記所定の操作は、前記外出警戒モード設定操作であり、前記遅延時間が終了する前における前記操作手段での前記所定の操作は、前記遅延時間を延長する操作である
ことを特徴とする警備装置。
【発明の詳細な説明】
【技術分野】
【０００１】
この発明は、例えば一般家庭用として用いて好適な警備装置に関する。
【背景技術】
【０００２】
一般家庭用の警備装置−いわゆるホームセキュリティシステム−は、少なくとも外出警戒モード、警戒解除モードを、通常、備えており、ユーザ操作に応じて選択設定されるように構成されている。
【０００３】
外出警戒モードは、家人が全員外出する場合のように、警備対象である例えば住戸についての警戒すべきエリア（以下、警戒エリアという）内が無人となる場合に設定される警備モードである。外出警戒モードにおいては、警備装置は、警戒エリア内に設けられた警備用センサの全てのセンサ検出出力信号を警戒監視動作上で有効とする警戒状態となる。
【０００４】
また、警戒解除モードは、家人が在宅するために警戒する必要がない場合の警備モードである。警戒解除モードにおいては、警備装置は、警戒エリア内の警備用センサの全てのセンサ検出出力信号は警戒監視動作上で無効となる非警戒状態となる。
【０００５】
警備装置は、上記の警備モードを管理制御する送信機を備える。送信機は、外出警戒モードがユーザの外出警戒モード設定操作に基づいて開始されて警戒状態になった後に、警備用センサのセンサ検出出力信号により異常を検出すると、警報音を発すると共に、監視センターに、当該検出した異常を、例えば電話回線を通じて通報するようにする。このため、送信機には、警備用センサが接続されると共に、電話回線が接続される。
【０００６】
そして、通常、送信機には、上述のような警備モードを設定入力するための操作部が設けられている。この操作部には、外出ボタン、警備解除ボタン、暗証番号入力用ボタンや非接触カードとの非接触通信を行なう受信手段などが設けられている。暗証番号や非接触カードは、特定のユーザのみしかボタン操作できないようにするためのセキュリティ用である。
【０００７】
外出ボタンの押下操作は、外出警戒モード設定操作であり、当該外出ボタンがユーザにより押下操作されると、警備装置の送信機は、警備モードを外出警戒モードにするようにする。そして、この外出警戒モードを解除するためには、一般的には、ユーザは、セキュリティ操作として、暗証番号を入力したり、あるいは非接触カードを受信手段にかざしたりした後に、警戒解除ボタンを押下する。警備装置の送信機は、このセキュリティ操作後の警戒解除ボタンの押下操作を受けると、警備モードを警戒解除モードにする。
【０００８】
ところで、家庭用の警備装置などにおいては、送信機および操作部は、一般的に屋内に設置される。そして、玄関ドアや窓などには、外出警戒モードにおける不審者の侵入を検知するための開閉センサなどが設けられる。
【０００９】
このため、ユーザが操作部で外出ボタンを押したときに、送信機において即座に外出警戒モードを開始してしまうと、当該外出ボタンを押下したユーザが玄関ドアを開けたときに、それを不審者の侵入と誤検出して、警報音を発すると共に、監視センターに緊急通報をしてしまう。
【００１０】
これを回避するために、例えば特許文献１（特開平１１−８６１４５号公報）にも記載されているように、通常、警備装置の送信機は、ユーザにより操作部で外出ボタンが押されたときには、即座に外出警戒モードにするのではなく、所定の第１の遅延時間後に、外出警戒モードを開始するようにする。ここで、所定の第１の遅延時間は、ユーザが外出ボタンを押下した後、玄関を開けて外出することができるような余裕時間を考慮して設定されている。
【００１１】
また、同様の理由から、外出警戒モードであっても、ユーザが玄関ドアの鍵を開け、玄関ドアを開けて屋内に入ってから所定の第２の遅延時間以内の間に警備モードを外出警戒モードから、警戒解除モードにする操作をしたときには、警報を発せず、また、警備センターに通報を行なわないようにしている。ここで、所定の第２の遅延時間は、ユーザが帰宅後、玄関ドアを開けてから、警備モードを警備解除モードに変更することができるような余裕時間を考慮して設定されている。
【００１２】
前記第１および第２の遅延時間は、あまりに長い時間であると、警備上好ましくないので、例えば３０秒程度の、比較的短い時間とされる。
【００１３】
上記の特許文献および非特許文献は、次の通りである。
【特許文献１】特開平１１−８６１４５号公報
【発明の開示】
【発明が解決しようとする課題】
【００１４】
ところで、外出ボタンを押下操作して、玄関を開けて外出したが、屋内に忘れ物をした、台所の火を消したか否かを確認したいなどのため、家に入りたい場合がある。
【００１５】
このような場合、従来は、上記の外出警戒モード開始までの第１の遅延時間以内であれば、玄関を開けて家に入り、送信機のところまで行って、外出警戒モードから警戒解除モードにする操作をした後、忘れ物を取りに行ったり、台所の火の確認をしたりするようにする。そして、その後、再度、外出ボタンを押下して、その押下後の第１の遅延時間以内に玄関ドアから外出するようにする。
【００１６】
しかし、外出警戒モード開始までの遅延時間以内に外出警戒モードを解除することができないようなタイミングのときには、ユーザは、外出警戒モードが開始するのを待つ。そして、外出警戒モードの開始後に、玄関を開け、屋内に入って所定の第２の遅延時間以内の間に警備モードを警戒解除モードにする操作をする。そして、その後、忘れ物を取りに行ったり、台所の火の確認をしたりした後、外出ボタンを再押下して、第１の遅延時間以内に玄関ドアから外出するようにする。
【００１７】
外出をした後に忘れ物等で家に戻る前者の場合の手順を、図４に示す。図４は、例えば３部屋ある家屋１において、玄関２Ｇから比較的離れた部屋２Ａに警備装置の送信機３が配設され、忘れ物４を送信機３が在る部屋とは別の部屋２Ｂにおいた場合である。この図４で、丸印で囲む数字が手順の順番を示している。  
１．送信機３の操作部で外出ボタンの押下操作。  
２．第１の遅延時間を利用して玄関ドアを経由して外出。  
３．一度家１に戻る。  
４．第１の遅延時間経過前に家１に入る。  
５．送信機３の操作部のところに行き、外出警戒モード解除操作を行う。  
６．忘れ物４を取りに行く。  
７．送信機３のところに行き、操作部で、再度、外出ボタンの押下操作。  
８．第１の遅延時間を利用して玄関ドアを経由して外へ。  
９．外出。第１の遅延時間経過により外出警戒モード開始。
【００１８】
以上説明したように、従来は、外出時に忘れ物等のため、家に入る場合には、第１の遅延時間内に、送信機のところに行って外出警戒モードを解除する操作をする必要があり、また、外出するには、再度、外出ボタンを操作する手間が必要であった。
【００１９】
そして、第１の遅延時間内に、送信機のところに行って外出警戒モードを解除する操作ができなかったときには、外出警戒モードが開始されてしまうため、警報が発せられ、かつ、監視センターに異常発生の通報がなされてしまう。
【００２０】
そこで、そのような誤警報や誤通報を回避するために、ユーザは、前者のような手順を行なわず、前述した後者の手順例のようにすることが多くなると考えられる。すなわち、ユーザは、第１の遅延時間の経過を待って外出警戒モードを開始させた後、帰宅時と同様に、玄関を開け、第２の遅延時間以内に送信機のところに行って、外出警戒モードを解除する操作をするようにする。
【００２１】
しかし、その場合には、一旦、外出警戒モードが開始されてしまうため、監視センターに当該外出警戒モード開始の通報がなされることになり、通信コストが発生してしまうという問題がある。
【００２２】
この発明は、外出警戒モード設定の操作をして外出してから、屋内に戻る必要がある場合における以上のような従来の問題点を解決することができる警備装置を提供することを目的とする。
【課題を解決するための手段】
【００２３】
上記の課題を解決するために、この発明による警備装置は、
警備対象物件内に設置されると共に、１または複数個のセンサが接続され、外出警戒モード設定操作があったときに、当該操作時点から所定の遅延時間が経過すると、警戒状態が開始となり、前記警戒状態のときに前記センサによる異常検出があると電話回線を通じて監視センターへ緊急通報を行なう送信機と、
警備対象物件内に設置されると共に、前記送信機と有線または無線で接続され、所定の操作が可能な操作手段と、
を備え、
前記操作手段で、前記外出警戒モード設定操作入力があったときから前記遅延時間が終了する前に、前記所定の操作がなされたとき、前記送信機では、前記遅延時間を延長する
ことを特徴とする。
【００２４】
上述の構成のこの発明による警備装置は、送信機と有線または無線で接続される操作手段を備えている。この操作手段は、例えば玄関に配置しておくことが可能である。
【００２５】
外出警戒モード設定操作をして、外出した後、忘れ物等で、警備対象物件内例えば家屋内に入ったユーザは、玄関に配置されている操作手段で所定の操作を即座に行なう。すると、この発明による警備装置の送信機は、外出警戒モード設定操作後、外出警戒モードを開始する前の遅延時間を延長するようにする。したがって、ユーザは、当該延長された時間内に、忘れ物を取って、再外出すればよい。
【００２６】
この場合に、ユーザは、例えば玄関に配置されている操作手段で所定の操作をするだけでよく、わざわざ送信機のところへ行って、外出警戒モードを解除する操作をする必要はない。そして、操作手段で所定の操作をすれば、延長された所定の遅延時間を確保することができるので、従来のように、一旦、外出警戒モードを開始させたりする必要はない。そのため、監視センターなどへの無駄な通報を回避することができ、無駄な通信コストがかからないようにすることができる。
【発明の効果】
【００２７】
この発明によれば、例えば玄関に配置されている操作手段で所定の操作をするだけでよく、わざわざ送信機のところへ行って、外出警戒モードを解除する操作をする必要はない。また、監視センターなどへの無駄な通報を回避することができ、無駄な通信コストを省くことができる。
【発明を実施するための最良の形態】
【００２８】
以下、この発明による警備装置の実施形態を、図を参照しながら説明する。
【００２９】
図１は、この実施形態の警備装置のハードウエア構成例を示すもので、送信機１０に対して、複数個の警備用センサ２１，２２，・・・，２ｎ（ｎは、２以上の整数）が接続されて構成されている。警備用センサ２１，２２，・・・，２ｎは、ドアの開閉を検出するドア開閉センサ、例えば焦電センサからなる人感センサ、窓の開閉を検出する窓開閉センサなどからなるものである。
【００３０】
そして、この実施形態では、警備用センサ２１，２２，・・・，２ｎのうちの、玄関ドアの開閉センサあるいは玄関に設置される人感センサ、例えば警備用センサ２１は、操作部３０を併せて備えるものにより構成される。この実施形態では、操作部３０には、外出警戒モード設定操作を行なうための外出ボタンが設けられる。
【００３１】
そして、この警備用センサ２１は、センサ検出出力のみではなく、操作部３０の外出ボタンの押下操作に応じた外出警戒モード設定操作信号を出力する。
【００３２】
送信機１０は、センサ入力インターフェース１１、ボタン操作部１２、表示部１３、スピーカ１４、回線制御部１５、制御部１６などを備えている。
【００３３】
センサ入力インターフェース１１は、複数個の警備用センサ２１，２２，・・・，２ｎからのセンサ検出出力信号を受信して、制御部１６に転送する。
【００３４】
この実施形態においては、複数個の警備用センサ２１，２２，・・・，２ｎのそれぞれからのセンサ検出出力信号には、センサ識別情報（ＩＤ番号など）が付加されており、どの警備用センサからのセンサ検出出力信号であるかを、送信機１０の制御部１６が検出することができるように構成されている。
【００３５】
また、この実施形態では、センサ入力インターフェース１１は、警備用センサ２１からの外出警戒モード設定操作信号を受信して、制御部１６に転送する機能も備える。制御部１６は、この外出警戒モード設定操作信号を受信すると、従来と同様に、当該受信時点から第１の遅延時間のタイマーをスタートさせ、当該第１の遅延時間を経過した後、外出警戒モードを開始するようにする。そして、外出経過モードを開始したときには、監視センターに、回線制御部１５を通じて、その旨の通報をするようにする。
【００３６】
なお、第１の遅延時間は、前述したように、ユーザが外出ボタンを押下した後、玄関を開けて外出することができるような余裕時間を考慮して設定されている。
【００３７】
そして、この実施形態では、制御部１６は、第１の遅延時間内に、外出ボタンの押下の操作信号を再受信したときには、第１の遅延時間の延長操作があったと判断し、第１の遅延時間を、この例では、その再受信時点から再スタートして延長するようにする。
【００３８】
なお、延長時間は、この例のように、外出ボタンの再押下の操作信号の受信時点から第１の遅延時間とするのではなく、忘れ物等を取りに行く時間を考慮した所定の時間長としても勿論よい。
【００３９】
警備用センサ２１，２２，・・・，２ｎと、送信機１０とは、図１では信号線で接続するものとして示したが、警備用センサ２１，２２，・・・，２ｎと、送信機１０とを無線で接続することもできる。
【００４０】
無線で接続する場合には、警備用センサ２１，２２，・・・，２ｎのそれぞれは、無線送信手段を備えると共に、ドアの開閉、人体の検出、窓の開閉など、検出対象の検出出力が得られたときに、前記無線送信手段を通じて、当該検出対象のセンサ検出出力信号を送信機１０に無線送信する。また、警備用センサ２１は、操作部３０で外出ボタンが押下されたときにも、外出警戒モード設定操作信号を送信機１０に無線送信する。
【００４１】
一方、送信機１０のセンサ入力インターフェース１１は、警備用センサ２１，２２，・・・，２ｎのそれぞれから、無線送信されるセンサ検出出力信号や外出警戒モード設定操作信号を受信するための無線受信手段を備え、受信したセンサ検出出力信号や外出警戒モード設定操作信号を制御部１６に供給するようにする。
【００４２】
ボタン操作部１２には、外出ボタン、警備解除ボタン、暗証番号入力用ボタンなどの押下操作ボタンが設けられている。また、この実施形態では、特定のユーザのみしかボタン操作できないようにするためのセキュリティ用非接触カードとの非接触通信を行なう受信手段も設けられている。
【００４３】
ボタン操作部１２からの操作信号は、制御部１６に供給される。制御部１６は、ボタン操作部１２で、どのボタンが押下操作されたかを判断して、押下操作されたボタンに応じた処理を行なう。
【００４４】
この実施形態では、制御部１６は、このボタン操作部１２における外出ボタンの操作を、前述した操作部３０の外出ボタンと全く同様に処理する。すなわち、制御部１６は、ボタン操作部１２で外出ボタンが押下されると、その操作信号を、外出警戒モード設定操作信号として受信する。そして、当該外出警戒モード設定操作信号の受信時点から第１の遅延時間を経過した後、外出警戒モードを開始するようにする。
【００４５】
そして、この実施形態では、制御部１６は、第１の遅延時間内に、ボタン操作部１２の外出ボタンの再押下の操作信号を受信（外出ボタンの押下の操作信号を再受信）したときにも、第１の遅延時間延長操作があったと判断し、上述と同様に、第１の遅延時間を、その受信時点から延長するようにする。
【００４６】
表示部１３は、例えばＬＣＤ（Ｌｉｑｕｉｄ  Ｃｒｙｓｔａｌ  Ｄｉｓｐｌａｙ）などの表示素子を備え、制御部１６からの制御を受けて、表示素子の表示画面に、表示メッセージやその他の種々の表示を行うものである。
【００４７】
スピーカ１４は、警報音を発し足り、音声メッセージを放音したりするためのものである。
【００４８】
回線制御部１５は、送信機１０と電話回線とを接続するためのインターフェース手段としての役割をする。上述したように、外出警戒モードを開始したときには、制御部１６は、回線制御部１５を制御して、電話回線と送信機１０とを接続し、送信機１０に予め登録されている通報先である警備会社の監視センターに対して、その旨の通報処理動作を実行する。また、外出警戒モードにおいて、制御部１６で、不審者の侵入を前記警備用センサからのセンサ検出出力信号に基づいて検出したときにも、制御部１６は、回線制御部１５を制御して、電話回線と送信機１０とを接続し、警備会社の監視センターに対して所定の通報処理動作を実行する。
【００４９】
［外出警戒モード開始までの動作説明；図２のフローチャートの説明］
次に、この実施形態の警備装置において、ボタン操作部１２または操作部３０で、外出ボタンが押下されてから、外出警戒モードが開始されるまでの動作について、図２のフローチャートを参照しながら説明する。
【００５０】
前述したように、制御部１６は、ボタン操作部１２のボタン操作を監視し、また、センサ２１の操作部３０の外出ボタンの押下操作に基づく外出警戒モード設定操作信号の有無を監視する。そして、ボタン操作部１２の外出ボタンが押下されたと判別したとき、または、センサ２１の操作部３０の外出ボタンの押下操作に基づく外出警戒モード設定操作信号を受信したと判別したときには、制御部１６は、ステップＳ１から、図２の処理ルーチンを開始する。以上のように、この実施形態では、押下される外出ボタンは、ボタン操作部１２の外出ボタンと、操作部３０の外出ボタンの、どちらであってよい。
【００５１】
制御部１６は、図２の処理ルーチンを開始すると、先ず、第１の遅延時間のタイマーをスタートさせる（ステップＳ２）。そして、制御部１６は、第１の遅延時間が経過したか否か監視し（ステップＳ３）、第１の遅延時間が経過したと判別したときには、外出警戒モードを開始し、監視センターにその旨の通報を行なう（ステップＳ８）。
【００５２】
そして、ステップＳ３で、第１の遅延時間が経過していないと判別したときには、制御部１６は、外出ボタンの再押下があったか否か（センサ２１の操作部３０の外出ボタンの押下を含む）を判別する（ステップＳ４）。つまり、このときに再押下される外出ボタンも、ボタン操作部１２の外出ボタンと、操作部３０の外出ボタンの、どちらであってよい。したがって、外出ボタンの再押下操作には、ボタン操作部１２の外出ボタンが押下された後、操作部３０の外出ボタンが押下された場合を含む。
【００５３】
ステップＳ４で外出ボタンは再押下されていないと判別したときには、制御部１６は、ステップＳ３に戻って、このステップＳ３以降の処理を繰り返す。また、ステップＳ４で、外出ボタンが再押下されたと判別したときには、制御部１６は、例えばスピーカ１４から遅延時間延長の音声メッセージを送出させた後、遅延時間タイマーをリセットして、遅延時間タイマーを再スタートさせ、第１の遅延時間を延長する（ステップＳ６）。
【００５４】
次に、制御部１６は、遅延時間タイマーを監視して、延長した第１の遅延時間の経過を待ち（ステップＳ７）、延長した第１の遅延時間が経過したと判別したときには、外出警戒モードを開始し、監視センターにその旨を通知する（ステップＳ８）。
【００５５】
図３に、この実施形態の場合の警備装置に対して、ユーザが外出をした後に忘れ物等で家に戻る場合の手順を示す。図３は、前述した図４の場合と全く同じ環境を想定したものである。この図３で、丸印で囲む数字が手順の順番を示している。なお、図３の例では、外出時には、玄関のセンサ２１の操作部３０の外出ボタンを押下するものとしている。
【００５６】
１．玄関のセンサ２１の操作部３０で外出ボタンの押下操作。  
２．第１の遅延時間を利用して玄関ドアを経由して外出。  
３．一度家１に戻る。第１の遅延時間経過前に家１に入り、操作部３０で外出ボタンを再押下し、第１の遅延時間を延長させる。  
４．忘れ物４を取りに行く。  
５．第１の遅延時間の延長時間を利用して玄関ドアを経由して外へ。  
６．外出。第１の遅延時間の延長時間経過により外出警戒モード開始。
【００５７】
以上のようにして、この実施形態によれば、外出ボタンが押下された後の第１の遅延時間の間に、玄関に設置されるドア開閉センサや人感センサなどに設けられた操作部３０の外出ボタンが、再押下されると、第１の遅延時間が自動的に延長される。したがって、その第１の遅延時間の延長時間を利用して、ユーザは、警備装置の外出警戒モードを解除操作することなく、忘れ物を取って、外出することが可能になる。
【００５８】
そして、この場合に、第１の遅延時間を延長するための操作としては、玄関にある所定のセンサに設けられている操作部３０の外出ボタンを操作するだけでよい。このため、ユーザが外出ボタンを再押下するまでにかかる時間は短時間でよく、一旦、玄関ドアから外に出たとしても、ユーザは、第１の遅延時間内に玄関を開けて、玄関にある操作部３０の外出ボタンの再押下ができる。
【００５９】
したがって、従来のように、第１の遅延時間を待って、外出警戒モードを開始させてから、玄関を開けて、第２の遅延時間内に外出警戒モードを解除するなどという手順は不要となる。このため、この実施形態によれば、外出警戒モードが開始する前に忘れ物を取って、再外出することができるようになり、外出警戒モードの開始に伴う監視センターへの無駄な通報を回避することができる。
【００６０】
［他の実施形態または変形例］
外出ボタンの再押下に基づく、第１の遅延時間としては、上述の例に限られるものではない。すなわち、上述の例では、操作部３０の外出ボタンの再押下の時点から、第１の遅延タイマーのタイマー時間を再スタートさせるようにしたので、延長時間は、外出ボタンを再押下した時点から第１の遅延時間に等しい。しかし、忘れ物などを取りに行く時間を考慮して、外出ボタンを再押下した時点からの延長時間を、第１の遅延時間よりも若干長い時間とするようにしても良い。
【００６１】
また、操作部３０の外出ボタンを再押下した時点からの延長時間を、ユーザが設定することができるようにしても良い。このときには、例えばユーザが設定した延長時間は、レジスタ等に保持され、制御部１６は、外出ボタンの再押下があったときに、当該レジスタの設定遅延時間を参照し、外出ボタンの再押下からの遅延時間を、設定された時間とするようにする。
【００６２】
また、操作部３０の外出ボタンが再押下された時点で、第１の遅延時間の遅延タイマーをリセットすると共に、遅延タイマーのタイマー動作を停止し、その後、忘れ物を取るなど必要な動作を終了したユーザが、操作部３０の外出ボタンを、さらに操作したときに、遅延タイマーのタイマー動作をスタートさせるようにしても良い。
【００６３】
第１の遅延時間を単に延長した場合には、ユーザは、第１の遅延時間の延長時間の長さを気にしながら、忘れ物を取りに行くなどの必要な動作をしなければならない。しかし、上記のように当該必要な動作の後、操作部３０の外出ボタンを、さらに操作したときに、遅延タイマーのタイマー動作をスタートさせるようにすれば、余裕を持って、必要な動作をすることができる。
【００６４】
なお、上述の実施形態では、玄関に配置されたセンサ２１に操作部３０を設けて、当該操作部３０に外出ボタンを設けるようにしたが、操作部３０には、延長ボタンを設けるようにしても良い。その場合には、操作部３０でのボタン操作に応じて送信機１０に送られる信号は、遅延時間延長要求信号となる。
【００６５】
また、上述の実施形態では、玄関に配置されたセンサ２１に操作部３０を設けるようにしたが、操作部３０をセンサ２１とは独立に、玄関に設けるようにしても、勿論よい。
【００６６】
また、操作部３０は、上述の実施形態では、玄関に設けるようにしたが、操作部３０の設置場所は、家に戻ったユーザが迅速に操作することができる屋内の場所であれば良く、玄関に限られるわけではない。
【００６７】
また、上述の実施形態では、ユーザ指示入力受付手段を構成する警備モードの選択ボタンやその他の操作部は、全て機械的なボタン操作手段としたが、ボタン操作部１２や操作部３０を、例えば液晶ディスプレイなどの表示部を備えるものとして構成し、その表示部に、タッチパネルを装着させ、表示部の画面にアイコンボタンを表示して、そのアイコンボタンを操作するようにしてもよい。
【００６８】
また、操作ボタンを設けるのではなく、ＲＦＩＤ（Ｒａｄｉｏ  Ｆｒｅｑｕｅｎｃｙ  Ｉｄｅｎｔｉｆｉｃａｔｉｏｎ）を用いた非接触通信により、外出警戒モード設定操作、警戒解除モードの設定操作などを行うものを用いることができる。
【００６９】
すなわち、例えば非警戒状態において、ＲＦＩＤの送信部（非接触カードなど）を、受信部にかざすと、それは上述の実施形態における外出ボタンの操作、つまり外出警戒モード設定操作となる。そして、前記第１の遅延時間内に、前記非接触カードなどの送信部を受信部に再度かざすと、それは、上述の実施形態における外出ボタンの再押下操作となる。さらに、第１の遅延時間および延長時間の経過後に、前記非接触カードなどの送信部を受信部にかざすと、それは、外出警戒モードから警戒解除モードへの変更操作となる。
【図面の簡単な説明】
【００７０】
【図１】この発明による警備装置の一実施形態のブロック図である。
【図２】図１の実施形態の警備装置における外出警戒モードへの移行時の動作を説明するためのフローチャートを示す図である。
【図３】図１の実施形態の警備装置において、外出をした後に忘れ物等で家に戻る手順を説明するために用いる図である。
【図４】従来の警備装置において、外出をした後に忘れ物等で家に戻る手順を説明するために用いる図である。
【符号の説明】
【００７１】
１０…送信機、１１…センサ入力インターフェース、１２…ボタン操作部、１６…制御部、２１〜２ｎ…警備用センサ、３０…操作部、
【図１】
2009294833.tif 000003
【図２】
2009294833.tif 000004
【図３】
2009294833.tif 000005
【図４】
2009294833.tif 000006